(57)【要約】  シールドデータケーブル用のプラグ、とくにＲＪ４５プラグが、第１のシェル（１）と第２のシェル（２）を組み合わせた導電性のハウジングを持つ。電気的絶縁性のあるプラグ本体（４）に、プラグ接点（３０２）が取り付けられている。ハウジングに差し込み可能なプリント配線基板（３）は、プラグ接点（３０２）と絶縁変位接点（３０３、３０４）とを備え、両者をたがいに導電性結合する。プリント配線基板（３）は、非導電性のフィルム（３０１）によって、ハウジング（１）に対して絶縁されている。接続されるデータケーブルの心線は装着部品（５）に差し込み可能であって、この場合、心線は２つのたがいに重なり合う平面で、この装着部品（５）に取り込まれる。データケーブルは、装着部品（５）と第２のシェル（２）の中に取り付けることができる。シェル（１、２）を組み合わせるとき、絶縁変位接点（３０３、３０４）は、装着部品（５）に収められたデータケーブルの心線に接触する。
2009528654.tif 000002
【特許請求の範囲】
【請求項１】
シールドデータケーブル用プラグであって、すなわちこのプラグは、第１のシェル（１）と第２のシェル（２）とを組み合わせた導電性のハウジングと、プラグ接点（３０２）を収める電気的絶縁性あるプラグ本体（４）と、プリント配線基板（３）と、装着部品（５）とを持ち、前記プリント配線基板は、ハウジング（１、２）に差し込み可能であって、かつプラグ接点（３０２）と絶縁変位接点（３０３、３０４）とを支持して相互に導電性結合し、また前記装着部品にはデータケーブルの心線を差し込み可能であり、そしてこの装着部品は、心線に絶縁変位接点（３０３、３０４）で接触するため、プリント配線基板（３）に差し込み可能であるプラグであって、
前記プリント配線基板（３）は第１のシェル（１）に差し込み可能であって、かつフィルム（３０１）によって第１のシェルの底面（１０１）に対して電気的に絶縁されていることと、前記絶縁変位接点（３０３、３０４）は、たがい違いに位置をずらして並びながら、２列に配置されていることと、差し込み方向に見て後列の絶縁変位接点（３０３）の高さは、前列の絶縁変位接点（３０４）より低いことと、装着部品（５）は心線を、心線末端がステップ状に位置をずらして置かれている２つの平面で受けることと、突き出している方の平面の心線が、前列の絶縁変位接点（３０４）に接触することとを特徴とする、前記のプラグ。
【請求項２】
前記前列の絶縁変位接点（３０４）は、プリント配線基板に近い領域でプラグ本体（４）に包まれることを特徴とする、請求項１に記載のプラグ。
【請求項３】
前記絶縁変位接点（３０３、３０４）および／またはプラグ接点（３０２）が、プリント配線基板にハンダ付けされ、あるいは嵌め込まれていることと、向かい合う側の前記プリント配線基板（３）の下面がフィルム（３０１）で覆われていることとを特徴とする、請求項１または２に記載のプラグ。
【請求項４】
前記絶縁変位接点（３０３、３０４）および／またはプラグ接点（３０２）が、ＴＨＲ（スルーホールリフロー）法によって、プリント配線基板（３）と結合されることを特徴とする、請求項１〜３のいずれか一項に記載のプラグ。
【請求項５】
前記絶縁変位接点（３０３、３０４）および／またはプラグ接点（３０２）のピンが、プリント配線基板（３）の下側エッジを越えて突出することはないことを特徴とする、請求項３または４に記載のプラグ。
【請求項６】
前記装着部品（５）が、第１のシェル（１）と分離されている第２のシェル（２）に差し込み可能であることと、前記装着部品（５）と第２のシェル（２）に、データケーブルを取り付け可能であることとを特徴とする、前記各請求項のいずれか一項に記載のプラグ。
【請求項７】
張力緩和部材（２０７、２０８）がケーブルを前記第２のシェル（２）に固定することを特徴とする、請求項６に記載のプラグ。
【請求項８】
前記張力緩和部材が、第２のシェル（２）の張力緩和領域（２０７）に調節可能な状態で噛み込む張力緩和固定金具（２０８）を持つことを特徴とする、請求項７に記載のプラグ。
【請求項９】
前記装着部品（５）は、上側のステップ状に突出する平面に、心線のための貫通する穴（５０３）を持ち、下側の引っ込んだ平面に、心線を挟み込むための取り付けフォーク（５０５）を持つことを特徴とする、前記各請求項のいずれか一項に記載のプラグ。
【請求項１０】
前記シェル（１、２）の一方には、そのシェルと導電性結合されたシールド接点（１０４）が取り付けられ、このシールド接点は、シェル（１、２）を組み合わせるとき、取り付けられるデータケーブルの露出されたシールドに弾性的に接触し、このシールドをそのときどきの他方のシェル（２、１）に押し付けることを特徴とする、前記各請求項のいずれか一項に記載のプラグ。
【請求項１１】
前記シールド接点（１０４）が、シェル（１、２）中にリベット留めされたバネ鋼打ち抜き部品であることを特徴とする、請求項１０に記載のプラグ。
【請求項１２】
プラグ本体（４）を収める前記シェル（１）に、ラッチレバー（１０９）を懸架できることを特徴とする、前記各請求項のいずれか一項に記載のプラグ。
【請求項１３】
前記プラグがＲＪ４５プラグとして形成されていて、このＲＪ４５プラグでは、４個の絶縁変位接点（３０３）からなる後列を１つと、４個の絶縁変位接点（３０４）からなる前列を１つとを、それぞれ設けられ、また装着部品（５）が、４個の穴（５０３）を持つ上側の突出する平面を１つと、４個の取り付けフォーク（５０５）を持つ下側の引っ込んだ平面を１つとを持つことを特徴とする、前記各請求項のいずれか一項に記載のプラグ。
【発明の詳細な説明】
【技術分野】
【０００１】
本発明は、請求項１のプリアンブルに記載するシールドデータケーブル用プラグに関する。
【背景技術】
【０００２】
工業環境や事務所環境における構造化されたサービスニュートラルなケーブル敷設には、主にシールドデータケーブルが用いられ、このケーブルは、実装済みのプラグコネクタを介して接続される。このプラグコネクタによって、データケーブルの心線の間に導電性の結合を生じ、接点のシールドが得られる。その際プラグコネクタのシールドは、たがいに接続されるデータケーブルのシールドの結合にも同時に用いられる。このようなプラグコネクタは、とくにＲＪプラグコネクタとして用いられている。
【０００３】
ＷＯ０２／１５３４０Ａ１からは、冒頭に挙げた種類のシールドデータケーブル用プラグが公知である。導電性ハウジングの中にプリント配線基板が挿入されるが、このプリント配線基板は、接続されるデータケーブルの心線に接触するための絶縁変位接点（ＩＤＣ接点）と、プラグコネクタのためのプラグ接点とを備え、たがいに結合されている。接続される心線は１つの装着部品に差し込まれ、この装着部品は、絶縁変位接点にかぶせられて心線に接触する。プラグ接点はプラグ本体の中に収められ、このプラグ本体はプラグコネクタのジャックに差し込まれる。ハウジングは２つのシェルからなり、これらのシェルはヒンジを介してたがいに結合され、畳んで閉じることができる。畳んだ後、シェルのヒンジと反対側の末端は、データケーブルを包む張力緩和部材を形成する。絶縁変位接点は、１列に並ぶものが４個あるだけなので、４心データケーブルを１本しか接続できない。データケーブルからジャックまでシールドするため、別付けの打ち抜き・曲げ加工鉄板部品が、プラグ内に取り付けられている。
【０００４】
米国特許第５９０５６３７号からは、次のようなシールドデータケーブル用プラグが公知である。すなわち、接続されるデータケーブルの心線のための絶縁変位接点と、プラグ接点とが、それぞれ別個のブロックに配置されていて、これらのブロックは接点を結合するプリント配線基板の上に載せられている、このようなプラグである。たとえばＲＪ４５プラグの８本の心線を接続できるようにするため、絶縁変位接点は、それぞれ位置を差し込み方向にたがい違いにずらしながら並んで、４個ずつ２列に配置されている。データケーブルは、上方からこの２列の間に導かれるので、それぞれ４本の心線が前方に、それと反対には４本の心線が後方に向かって、絶縁変位接点に挿入される。データケーブルをプラグの上面にそって導くため、プラグの構造高さが大きくなる。
【０００５】
独国特許第１００５７８３３号からは、次のようなシールドデータケーブル用プラグコネクタが公知である。すなわち、１本のデータケーブルの８本の心線が、たとえばＲＪ４５プラグコネクタのため、１つの装着部品の中で、２つの上下に配置されてたがいに位置をずらした平面に取り付けられ、この装着部品を用いて絶縁変位接点に挿入される。これらの絶縁変位接点は、位置を差し込み方向にたがい違いにずらしながら並んで、２列に配置されている、このようなプラグコネクタである。接点のシールドを生じる導電性ハウジングには、シールド鉄板がもう１つ設けられて、たがいに結合されるデータケーブルをシールドするのに用いられる。
【発明の開示】
【発明が解決しようとする課題】
【０００６】
本発明の課題は、構造がコンパクトで取り付けが簡単な、シールドデータケーブル用プラグを得ることである。
【課題を解決するための手段】
【０００７】
本発明は、この課題を請求項１の諸特徴を持つプラグによって解決する。
本発明の有利な実施形態を従属請求項に記載した。
【０００８】
本発明のプラグは、２つのシェルからなる導電性のハウジングを持ち、このハウジングは、プラグ本体、プリント配線基板、装着部品を収める。プラグ本体は絶縁性材料からなっていて、プラグ接点を収める。プラグ接点は、プラグ本体をジャックに差し込むとき、プラグコネクタ接点を形成する。プリント配線基板は、プラグ接点と絶縁変位接点とを取り付けられて、これら接点を結合する。接続されるデータケーブルの心線は、装着部品に差し込まれて、装着部品を絶縁変位接点にかぶせるとき、絶縁変位接点に接触される。絶縁変位接点は、位置を差し込み方向にたがい違いにずらしながら並んで、絶縁変位接点４個ずつ２列配置されている。これらの心線は、装着部品内で２つの平面に配置され、その際、一方の平面は他方の平面を越えて張り出すが、これは両平面に配置された心線に、２列の絶縁変位接点を接触させるためである。これにより、４心の産業用ケーブルだけでなく、８心までの標準オフィス用ケーブルを接続することも可能となる。
【０００９】
プラグの構造高さをとくに小さくできるよう、プリント配線基板をハウジングのシェルに対し、薄いフィルムで絶縁する。そしてまたそれぞれたがい違いに位置をずらして並ぶ絶縁変位接点の２列を、異なる高さに形成する。絶縁変位接点のうち、差し込み方向に見て前列にあるものは、後列にあるものよりも高くする。前列にある絶縁変位接点のプリント配線基板に近い領域は、プラグ本体に包まれるが、これは絶縁変位接点を機械的に安定させるためである。しかし絶縁変位接点のうち、差し込み方向に見て後列にあるものはプリント配線基板まで露出しているので、絶縁変位接点のこれら後列の領域において、装着部品をプリント配線基板の上までかぶせることができる。
【００１０】
このプラグは、複雑なツールまたは補助手段を用いなくても、簡単に取り付けることができる。接続されるケーブルの心線は、装着部品に引き込まれ、そして装着部品の差し込み方向正面で外に出る。この正面で、心線を切断することができる。したがって心線の露出末端の長さの適合は、取り付け時には不要である。接続されるケーブルは、この場合すでに、装着部品を収めるハウジングのシェル中で、張力緩和部材で挟み込んで置き、その結果として、心線は装着部品の中に固定されて、その後の取り付けの際に位置を変えることはできないようにすることができる。装着部品を含むハウジングのシェルを、ハウジングの他方のシェルにかぶせればそれでよい。この他方のシェルは、絶縁変位接点を含むプリント配線基板を収めている。
【００１１】
一方のシェル、好ましくはプリント配線基板を収めるシェルの中では、弾性のあるシールド接点が用いられ、このシールド接点はハウジングと導電性結合されている。シェルを組み合わせるとき、一方のシェル中に張力緩和部材によって固定されたデータケーブルはそのシールドとともに、他方のシェルに取り付けられたシールド接点に押し付けられる。そうするとデータケーブルのシールドは、シェルを組み合わせて取り付けるときに、必然的導電性ハウジングと接触する。そのほかの措置を行わなくてもこれをもって、シールドされたハウジングとケーブルのシールドとの信頼性ある結合、およびプラグを受けるジャックに対するシールド付与とが得られる。
【００１２】
プラグ本体、装着部品、ハウジングのシェルは、取り付けのとき、スナップ結合によってたがいにラッチ固定される。したがってたとえばネジ止めなどのようなそのほかの補助手段は不要である。
【００１３】
ハウジングが導電性であることと、接続されるデータケーブルのシールドにハウジングが接触することとによって、プラグ内部の露出心線の全方向シールドが得られる。プリント配線基板の上で、絶縁変位接点とプラグ接点間の導体路の寸法が小さいので、最適な導体配線が可能となり、その結果個々の心線間のクロストークが最小限に抑えられる。したがってこのシールドと組み合わせれば、少なくとも２５０ＭＨｚまでの信号伝送が可能である。外側寸法が小さいので、このプラグを、さまざまな規格の保護ハウジングに組み込むことができる。これらの保護ハウジングは、産業用途としてたとえばＩＰ６７の保護要求事項を満足するために用いられるものである。
【００１４】
このプラグは寸法が小さいため、とくには、複数のジャックが２次元の網目状に配置されている、いわゆるマルチポートジャックに適する。
下記では、図面に示した実施例を用いて、本発明をさらに詳しく説明する。
【発明を実施するための最良の形態】
【００１５】
このプラグは、第１のシェル１と第２のシェル２とを組み合わせたハウジングを持つ。このハウジングには、プリント配線基板３、プラグ本体４、装着部品５が差し込まれている。ハウジングのシェル１および２は導電性であって、好ましくは金属圧力鋳造部品、とくに好ましくは亜鉛圧力鋳造部品として形成されている。プラグ本体４と装着部品５とは絶縁材料からなり、とくにはプラスチック射出成形部品である。
【００１６】
第１のシェル１は、プラグ差し込み方向に長いバスタブ形で、底面１０１と側壁１０２からなるＵ字形の断面を持つ。第１のシェルのうち、プラグ差し込み方向―図１では下方―を指す部分では、底面１０１が受け具１０３を形成し、この受け具にプリント配線基板３が挿入される。差し込み方向における背後末端では、底面１０１にシールド接点１０４が取り付けられている。シールド接点１０４は鉄板打ち抜き部品であって、その下面１０５がシェル１の底面１０１に載っており、このシェルと導電性結合、たとえばリベット結合されている。下面１０５は、差し込み方向における前端エッジ１０６で直角に曲げられている。したがって前端エッジ１０６と底面１０１との間には空隙が形成され、この空隙でプリント配線基板３の後端エッジを保持して、プリント配線基板をシェル１の中で位置決めすることができる。下面１０５の左右の長手エッジで、接点スプリング１０７が上方に曲げられ、次に内側に向かって下面１０５と平行に曲げられているので、接点スプリング１０７はその自由な末端をたがいにオーバラップさせて、１つのスプリングとしての搭載物を形成する。
【００１７】
シェル１の底面１０１の差し込み方向における前端エッジには、箱型の懸架装置１０８が設けられていて、この懸架装置は、底面１０１の下側で、差し込み方向と反対方向に開いている。懸架装置１０８には、ラッチレバー１０９を懸架することができる。ラッチレバー１０９はその前端に突起１１０を備え、この突起が懸架装置１０８で底面１０１の前端エッジを把握する。したがってラッチレバー１０９は、懸架装置１０８の中に、後付け可能かつ取り外し可能な状態で保持される。ラッチレバー１０９のレバーアーム１１１は、後方に向かって懸架装置１０８から突き出ている。レバーアーム１１１にはラッチショルダ１１２が設けられ、このラッチショルダは、ここには図示しないジャックにプラグを、取り外し可能な状態で取り付けるために用いられる。レバーアーム１１１を、弾力的に底面１０１に押し付けると、ラッチショルダ１１２を、ジャックのラッチ機構から解放することができる。
【００１８】
プリント配線基板３上には、差し込み方向における前端にプラグ接点３０２が設けられている。これは、図示の実施例ＲＪ４５プラグの場合、隣り合って並ぶ８個のプラグ接点３０２である。これらのプラグ接点３０２は、ワイヤまたは打ち抜き部品によって、フレーム状に形成されている。差し込み方向に見てプリント配線基板３の後ろ側縁辺には、絶縁変位接点３０３、３０４が設けられている。絶縁変位接点３０３、３０４は、差し込み方向を横切る方向の２列に配置されるが、それぞれたがい違いに差し込み方向に位置をずらしながら間隔を取っている。プリント配線基板３の後端エッジに隣接する絶縁変位接点の後列３０３は、この場合、差し込み方向に見た絶縁変位接点の前列３０４よりも、高さが小さい。絶縁変位接点のいずれの列３０３、３０４も、４個の絶縁変位接点３０３、３０４からなり、これらの接点は間隔ごとに位置をずらして配置され、プリント配線基板３から垂直に、上方に向かって立つ。
【００１９】
プラグ本体４はほぼ直方体の形状で、この直方体の断面は、第１のシェル１の内部断面に相当する。プラグ本体４は差し込み方向における前端に、隣り合って並びながら貫通するスロット４０１を備える。プラグ本体４は後端領域に、垂直に貫通する４個の横スロット４０２を備える。プラグ本体４をプリント配線基板３の上に配置する際は、差し込み方向で見たプラグ本体の前端エッジが、プリント配線基板３の前端と重なり合うように配置する。差し込み方向で見たプラグ本体４の後端は、この場合、絶縁変位接点の前列３０４を越えて延びる。
【００２０】
プラグ接点３０２は、スロット４０１を通ってプリント配線基板３に差し込まれる。前列の絶縁変位接点３０４は、横スロット４０２でプリント配線基板に差し込まれる。後列の絶縁変位接点３０３もプリント配線基板３に差し込まれる。このようにして実装されたプリント配線基板３は、好ましくはＴＨＲ法（Ｔｈｒｏｕｇｈ  Ｈｏｌｅ  Ｒｅｆｌｏｗ）でハンダ付けされるものとする。これにより絶縁変位接点３０３、３０４は、プリント配線基板３の導体路を経由して、プラグ接点３０２と導電性結合される。絶縁変位接点３０３、３０４とプラグ接点３０２とを含むプリント配線基板３は、したがってプラグ本体４とともに１つの複雑なユニットを形成する。プラグ接点３０２は、前端エッジのスロット４０１に位置し、そしてプラグ本体の上側は露出している。そのためプラグ接点は、プラグをジャックに差し込むとき、ジャックの対応する接点に接触することができる。前列の絶縁変位接点３０４は、横スロット４０２を貫通し、プラグ本体４の上側を越えて上方に突出する。後列の絶縁変位接点３０３は、プラグ本体４の背後で、プリント配線基盤３の後ろ側縁辺の上に露出して立つ。
【００２１】
第１のシェル１における受け具１０３には、薄い絶縁フィルム３０１が挿入される。フィルム３０１の寸法は、プリント配線基板３に相当する。フィルム３０１を挿入した後、プリント配線基板３とプラグ本体４から形成されるユニットが、第１のシェル１に挿入される。プラグ本体４はその両方の長手側面に、ラッチ４０３を少なくとも１つずつ持つ。このユニットがシェル１に押し込まれるとき、これらのラッチ４０３は、第１のシェル１の側壁１０２にあるノッチ１１３に、スナップ方式で噛み込む。これによりプラグ本体４とプリント配線基板３とは、第１のシェル１の中に固定される。フィルム３０１は、プリント配線基板３、その導体路、ハンダ付け箇所を、シェル１に対して電気的に完全に絶縁する。
【００２２】
プリント配線基板３をプラグ本体４とともに差し込んでラッチ固定した後、シールド接点１０４を、プリント配線基板の背後でシェル１に差し込み、たとえばリベットによってこのシェルと結合する。このとき、シールド接点１０４の前端エッジ１０６が、プリント配線基盤３の後端エッジを把握するので、プリント配線基板はさらにシェル１にも保持される。
【００２３】
第２のシェル２も、上面２０１と側壁２０２とによるほぼ四角形のＵ字形断面が、差し込み方向に延びる形状である。差し込み方向で見た第２のシェル２の前端には、装着部品５が差し込まれる。このため装着部品５は、その左右の後部外側エッジに、切り欠き５０１を持つ。この切り欠きには、装着部品５を第２のシェル２に挿入するとき、側壁２０２の内側突起２０３が噛み込む。突起２０３と切り欠き５０１とを噛みあい状態に保つため、装着部品５は、その上側に設けられたラッチ５０２が、シェル２の上面２０１に設けられたノッチ２０４に噛み込む。
【００２４】
装着部品５は段付きの形状である。装着部品５は、シェル２の上面２０１に隣接する上側平面に、差し込み方向に平行に貫通する４個の穴５０３を持つ。これらの穴５０３には、下側からそれぞれの横スロット５０４が下面からつながる。これら横スロットは、間隔ごとにたがい違いに位置をずらして、その配置は前列の絶縁変位接点３０４に対応する。これら横スロット５０４の背後では、装着部品５の下面に４個の取り付けフォーク５０５が並んで配置され、これらのフォークは下面に向かって開いている。
【００２５】
装着部品５を収めるシェル２の領域につながって、シェル２のシールド接点領域２０５が形成されている。このシールド接点領域２０５は、上面２０１の内側に接点リブ２０６を備え、これらの接点リブは、内側に向かう突起となって、差し込み方向を横切る方向に伸びる。このシールド接点領域２０５につながって、シェル２の張力緩和領域２０７が接合されている。この張力緩和領域２０７では、上面２０１の内側が、バスタブ状に形成されている。張力緩和領域２０７に、張力緩和固定金具２０８をかぶせることができる。張力緩和固定金具２０８は、押さえエッジ２０９を持つＵ字形金具の形状であり、このエッジは、中央のヨークに形成されていて、内側を向いている。張力緩和固定金具２０８の両脚の内側には、歯部２１０が１つずつ形成されている。歯部２１０はラッチエッジ２１１と協働し、このラッチエッジは、シェル２の側壁２０２の外面、かつ張力緩和領域２０７に設けられている。張力緩和固定金具２０８は、ストラップ２１２によって紛失防止されて、シェル２に結合されている。
【００２６】
データケーブル、とくに８心ケーブルを接続するためには、ケーブル末端の心線を露出させる。心線の露出につづいて、外側ケーブル絶縁の一部分にわたり、ケーブルのシールドを露出させる。次にこれらの心線を装着部品５に差し込む。その際、４本の心線を上側平面の穴５０３に差し込み、残りの４本の心線を取り付けフォーク５０５に押し込んでフォークの中に挟み込む。ケーブルの露出されたシールドは、ここでシェル２のシールド接点領域２０５に位置することになる。次に張力緩和固定金具２０８をかぶせ、シェル２に押し付ける。張力緩和固定金具２０８の押さえエッジ２０９はこのとき、ケーブルをその絶縁性ある被覆とともに、シェル２のバスタブ状部分の中に押し込み、ケーブルを張力緩和状態で固定する。このとき歯部２１０によって、張力緩和固定金具２０８を、任意のいずれの箇所にも噛み込ませることができる。このようにして、さまざまな断面を持つケーブルを挟み込み、張力緩和状態で保持することができる。この張力緩和部材によって、ケーブルは第２のシェル２の中に固定され、ケーブルの心線は装着部品５の中に保持される。心線の突出する末端は、この場合、穴５０３または取り付けフォーク５０５の差し込み方向の正面で切断することができる。
【００２７】
装着部品５およびシェル２におけるケーブル取り付けは簡単であり、プラグのそのほかの部分に依存することなく行うことができる。つづいて第２のシェル２を、このシェルにラッチ固定された装着部品５および取り付けられたケーブルとともに、プリント配線基板３およびプラグ本体４を装着された第１のシェル１にかぶせる。ここで装着部品５をかぶせる際、プラグ本体４から上方に突出する前列の絶縁変位接点３０４が、横スロット５０４を通って穴５０３に差し込まれるが、後列の絶縁変位接点３０３は取り付けフォーク５０５に差し込まれるようにする。前列の絶縁変位接点３０４はこれによって、穴５０３の上側平面の心線に接触するが、後列の絶縁変位接点３０３は、取り付けフォーク５０５に押し込まれた心線に接触する。第１のシェル１と第２のシェル２とを組み立て状態で一体保持するために、第２のシェル２のラッチ２１３が、第１のシェル１の側壁１０２における対応する領域のノッチ１１４に噛み込む。このラッチは、シールド接点領域２０５における側壁２０２の外側に設けられている。シェル１および２をこのように接合するとき、第１のシェル１においてシールド接点１０４の接点スプリング１０７は、ケーブルの露出したシールドに接触する。そして弾性的にスプリング作用しながら、このシールドを第２のシェル２の接点リブ２０６に押し付ける。それによりケーブルのシールドと、プラグハウジングの２つの導電性シェル１、２との間に、信頼性ある接触が得られる。
【００２８】
図１は、張力緩和部材を備えないプラグを示す。すなわち、張力緩和領域２０７と張力緩和固定金具２０８が設けられていない。このバージョンは、すでに張力緩和機能を備えている保護ハウジングに組み込むことを意図している。
【図面の簡単な説明】
【００２９】
【図１】上から見たプラグの分解図である。
【図２】下から見たプラグの分解図である。
【図３】ハウジングを組み立てる前のプラグの図である。
【図４】もう１つの視点から見た組み立て前のプラグの図である。
【図５】プラグの縦断面図である。
【符号の説明】
【００３０】
１  第１のシェル
１０１  底面
１０２  側壁
１０３  受け具
１０４  シールド接点
１０５  下面
１０６  前端エッジ
１０７  接点スプリング
１０８  懸架装置
１０９  ラッチレバー
１１０  突起
１１１  レバーアーム
１１２  ラッチショルダ
１１３  ノッチ
１１４  ノッチ
２  第２のシェル
２０１  上面
２０２  側壁
２０３  突起
２０４  ノッチ
２０５  シールド接点領域
２０６  接点リブ
２０７  張力緩和領域
２０８  張力緩和固定金具
２０９  押さえエッジ
２１０  歯部
２１１  ラッチエッジ
２１２  ストラップ
２１３  ラッチ
３  プリント配線基板
３０１  フィルム
３０２  プラグ接点
３０３  後列の絶縁変位接点
３０４  前列の絶縁変位接点
４  プラグ本体
４０１  スロット
４０２  横スロット
４０３  ラッチ
５  装着部品
５０１  切り欠き
５０２  ラッチ
５０３  穴
５０４  横スロット
５０５  取り付けフォーク
【図１】
2009528654.tif 000003
【図２】
2009528654.tif 000004
【図３】
2009528654.tif 000005
【図４】
2009528654.tif 000006
【図５】
2009528654.tif 000007
【国際調査報告】
2009528654.tif 000008
2009528654.tif 000009
2009528654.tif 000010
2009528654.tif 000011